(57)【要約】【課題】ファイルを展開する側の機器が新たなファイル形式に対応していないものであっても、読み取った画像をその機器で視認することができるようにする。【解決手段】複合機１は、入力ボタン９ａが操作された場合に、原稿読取部４の読取動作により得られた画像データを第１ドキュメントファイル形式でファイル化してなる第１ドキュメントファイルを作成する第１ドキュメントファイル作成部４４と、入力ボタン９ｂが操作された場合に、前記画像データを第２ドキュメントファイル形式でファイル化した第２ドキュメントファイルを作成する第２ドキュメントファイル作成部４５と、第２ドキュメントファイル作成部４５により作成された第２ドキュメントファイルを、前記第１ドキュメントファイル作成部４４により作成された第１ドキュメントファイルＦ３内に格納して１つのファイルに合成する合成ファイル作成部４６とを備える。【選択図】図３
2008312018.tif 000002
【特許請求の範囲】
【請求項１】
原稿の画像を光電変換動作を用いて読み取る画像読取部と、
前記画像読取部の読取動作により得られた画像データを第１のファイル形式でファイル化した第１のファイルを作成する第１のファイル作成部と、
前記画像読取部の読取動作により得られた画像データを、前記第１のファイル形式と異なる第２のファイル形式でファイル化した第２のファイルを作成する第２のファイル作成部と、
前記第２のファイル作成部で作成された前記第２のファイルを前記第１のファイル作成部で作成された前記第１のファイル内に格納した合成ファイルを作成する合成ファイル作成部と
を備える画像読取装置。
【請求項２】
前記第１のファイル形式は、ＸＰＳである請求項１に記載の画像読取装置。
【請求項３】
前記第２のファイル形式は、ＪＰＥＧ、ＴＩＦＦ及びＰＤＦのうちいずれかである請求項１または２に記載の画像読取装置。
【請求項４】
前記合成ファイル作成部は、前記合成ファイルを受け取った表示装置に対して前記第１及び第２のファイルのうちどのファイルに格納されている画像データを読み出すのかを指示する指示情報を格納した第３のファイルを生成し、該第３のファイルを前記合成ファイル内に格納する請求項１ないし３のいずれかに記載の画像読取装置。
【請求項５】
表示部と、
請求項４に記載の画像読取装置により生成された前記合成ファイル内の画像データを前記表示部に表示させる表示制御部とを備え、
前記表示制御部は、前記合成ファイルのうち前記第３のファイルに格納されている指示情報に基づいて、前記第１及び第２のファイルのうちどのファイルに格納されている画像データを読み出すかを決定し、決定したファイルから前記画像データを読み出して該画像データを画像として前記表示部に表示させる表示装置。
【発明の詳細な説明】
【技術分野】
【０００１】
本発明は、光電変換処理を用いる読取動作によって原稿の画像データを取得する画像読取装置、及び画像読取装置により取得された画像データを画像として表示する表示装置に関するものである。
【背景技術】
【０００２】
光電変換処理を用いる読取動作によって得られた画像データを通信ネットワーク上のパーソナルコンピュータなどの端末装置に送信したり前記画像データをメールで送付したりすることができる画像読取装置が広く知られている。この種の画像読取装置において、前記画像データは、例えば下記特許文献１に開示されているようなＪＰＥＧ（Joint Photographic Experts Group）や、ＴＩＦＦ（Tagged Image File Format）或いはＰＤＦ（Portable Document Format）などのファイル形式でファイル化された状態で送信先に送信される。
【特許文献１】特開２００７−６００８３号公報
【発明の開示】
【発明が解決しようとする課題】
【０００３】
近年、新たなファイル形式が種々提供されており、これに対応して、画像読取装置にその新たなファイル形式で画像データをファイル化する機能が搭載されつつある。しかしながら、画像読取装置に前記ファイル化機能が搭載されていても、該画像読取装置からファイルを受け取る装置がそのファイル形式に対応していない（該ファイル形式で作成されたファイルを展開できない）という場合がある。この場合、従来では、該装置は前記ファイルを展開することができないため、ユーザが当該装置で前記ファイルに格納された画像データを確認することができなかった。
【０００４】
本発明は、上述した問題点を解決するためになされたものであり、ファイルを展開する側の機器が新たなファイル形式に対応していないものであっても、その機器で画像を視認することのできるようにした画像読取装置及び表示装置を提供することを目的とする。
【課題を解決するための手段】
【０００５】
請求項１に記載の発明は、原稿の画像を光電変換動作を用いて読み取る画像読取部と、前記画像読取部の読取動作により得られた画像データを第１のファイル形式でファイル化した第１のファイルを作成する第１のファイル作成部と、前記画像読取部の読取動作により得られた画像データを、前記第１のファイル形式と異なる第２のファイル形式でファイル化した第２のファイルを作成する第２のファイル作成部と、前記第２のファイル作成部で作成された前記第２のファイルを前記第１のファイル作成部で作成された前記第１のファイル内に格納した合成ファイルを作成する合成ファイル作成部とを備える画像読取装置である。
【０００６】
この発明によれば、第２のファイル作成部で作成された前記第２のファイルを前記第１のファイル作成部で作成された前記第１のファイル内に格納した合成ファイルを作成するようにしたので、前記合成ファイルを受け取った表示装置が、前記第１のファイル形式に対応している場合には（前記第１のファイルを展開（処理）可能である場合には）、前記合成ファイル内の第１のファイル作成部で作成された第１のファイルから画像データを読み出して画像を表示することができ、また、前記表示装置が、前記第１のファイル形式に対応していない場合には（前記第１のファイルを展開（処理）不可能である場合には）、前記合成ファイル内の第２のファイル作成部で作成された第２のファイルから画像データを読み出して画像を表示することが可能となる。
【０００７】
したがって、前記表示装置が前記第１のファイル形式に対応していないものであっても、前記表示装置は画像を表示することが可能となる。
【０００８】
請求項２に記載の発明は、請求項１に記載の画像読取装置において、前記第１のファイル形式は、ＸＰＳである。
【０００９】
この発明によれば、前記第１のファイル形式がＸＰＳである場合に、請求項１に記載の発明が特に有効なものとなる。
【００１０】
請求項３に記載の発明は、請求項１または２に記載の画像読取装置において、前記第２のファイル形式は、ＪＰＥＧ、ＴＩＦＦ及びＰＤＦのうちいずれかである。
【００１１】
この発明によれば、前記第２のファイル形式がＪＰＥＧ、ＴＩＦＦ及びＰＤＦのうちいずれかである場合に、請求項１または２に記載の発明が特に有効なものとなる。
【００１２】
請求項４に記載の発明は、請求項１ないし３のいずれかに記載の画像読取装置において、前記合成ファイル作成部は、前記合成ファイルを受け取った表示装置に対して前記第１及び第２のファイルのうちどのファイルに格納されている画像データを読み出すのかを指示する指示情報を格納した第３のファイルを生成し、該第３のファイルを前記合成ファイル内に格納するものである。
【００１３】
この発明によれば、前記表示装置が前記合成ファイルを受け取った場合に、該表示装置が画像データを読み出す対象のファイルを決定して該ファイルに格納されている画像データを画像として表示する一連の処理が自動的に実行される構成を実現することが可能となる。
【００１４】
請求項５に記載の発明は、表示部と、請求項４に記載の画像読取装置により生成された前記合成ファイル内の画像データを前記表示部に表示させる表示制御部とを備え、前記表示制御部は、前記合成ファイルのうち前記第３のファイルに格納されている指示情報に基づいて、前記第１及び第２のファイルのうちどのファイルに格納されている画像データを読み出すかを決定し、決定したファイルから前記画像データを読み出して該画像データを画像として前記表示部に表示させる表示装置である。
【００１５】
この発明によれば、前記表示装置が前記合成ファイルを受け取ると、該表示装置が画像データを読み出すファイルを決定してそのファイルに格納されている画像データを画像として表示する処理が自動的に行われる構成を実現することができる。
【発明の効果】
【００１６】
本発明によれば、表示装置が対応していないファイル形式で作成されたファイルを前記表示装置が受け取った場合であっても、画像読取装置で読み取った画像をその表示装置で表示することができるため、ユーザは画像を表示装置で視認することができる。
【発明を実施するための最良の形態】
【００１７】
以下、本発明の実施形態を図面に基づいて説明する。図１は、本発明の一実施形態に係る画像形成装置の一例である複合機の内部構成を概略的に示す側面図である。複合機１は、コピー機能、プリンタ機能、スキャナ機能及びファクシミリ機能等の機能を兼ね備えたものであり、本体部２と、本体部２の左方に配設されたスタックトレイ３と、本体部２の上部に配設された原稿読取部４と、原稿読取部４の上方に配設された原稿給送部５とを有している。
【００１８】
また、複合機１のフロント部には、操作部６が設けられている。図２に示すように、操作部６には、ユーザが印刷実行指示を入力するためのスタートキー７と、印刷部数等を入力するためのテンキー８と、各種複写動作の操作ガイド情報等を表示し、これら各種設定入力用にタッチパネル機能を有する液晶ディスプレイ等からなる表示部９と、表示部９で設定された設定内容等をリセットするリセットキー１０と、実行中の印刷（画像形成）動作を停止させるためのストップキー１１と、コピーモード、プリンタモード、スキャナモード及びファクシミリモードを切り換えるためのモード切換キー１２とが備えられている。
【００１９】
また、本実施形態においては、複合機１がスキャナモードに設定されている場合であって、且つ、当該複合機１に接続されている例えばパーソナルコンピュータなどの表示装置１００（図６参照）が画像データの出力先に指定された場合（以下、このモードをネットワークスキャナモードという）に、表示部９に入力ボタン９ａ，９ｂが表示される。
【００２０】
入力ボタン９ａは、画像読取部４の読取動作により得られた画像データを後述する第１ドキュメントファイル形式でファイル化して送信する指示を入力するためのボタンであり、入力ボタン９ｂは、画像読取部４の読取動作により得られた画像データを後述する第２ドキュメントファイル形式でファイル化して送信する指示を入力するためのボタンである。
【００２１】
図１に戻り、原稿読取部４は、ＣＣＤ(Charge Coupled Device)センサ及び露光ランプ等からなるスキャナ部１３と、ガラス等の透明部材により構成された原稿台１４及び原稿読取スリット１５とを備える。スキャナ部１３は、図略の駆動部によって移動可能に構成され、原稿台１４に載置された原稿を読み取るときは、原稿台１４に対向する位置で原稿面に沿って移動され、原稿画像を走査しつつ取得した画像データを制御部３５（図３参照）へ出力する。また、原稿給送部５により給送された原稿を読み取るときは、原稿読取スリット１５と対向する位置に移動され、原稿読取スリット１５を介して原稿給送部５による原稿の搬送動作と同期して原稿の画像を取得し、その画像データを制御部３５へ出力する。
【００２２】
原稿給送部５は、原稿を載置するための原稿載置部１６と、画像読み取り済みの原稿を排出するための原稿排出部１７と、原稿載置部１６に載置された原稿を１枚ずつ繰り出して原稿読取スリット１５に対向する位置へ搬送し、原稿排出部１７へ排出するための給紙ローラや搬送ローラ（図示せず）等からなる原稿搬送機構１８を備える。
【００２３】
また、原稿給送部５は、その前面側が上方に移動可能となるように本体部２に対して回動自在に設けられている。原稿給送部５の前面側を上方に移動させて原稿台１４上面を開放することにより、原稿台１４の上面に読み取り原稿、例えば見開き状態にされた書籍等を操作者が載置できるようになっている。
【００２４】
本体部２は、複数の給紙カセット１９と、給紙カセット１９から用紙を１枚ずつ繰り出して画像形成部２１へ搬送する給紙ローラ２０と、給紙カセット１９から搬送されてきた用紙に画像を形成する画像形成部２１とを備える。
【００２５】
画像形成部２１は、スキャナ部１３で取得された画像データに基づきレーザ光等を出力して感光体ドラム２２を露光し、該感光体ドラム２２の表面に静電潜像を形成する光学ユニット２３と、静電潜像が形成された感光体ドラム２２の表面にトナーを付着することによりトナー像を形成する現像部２４と、感光体ドラム２２上のトナー像を用紙に転写する転写部２５と、トナー像が転写された用紙を加熱してトナー像を用紙に定着させる一対のローラ２６，２７からなる定着部２８と、画像形成部２１内の用紙搬送路中に設けられ、用紙をスタックトレイ３又は排出トレイ２９まで搬送する搬送ローラ対３０，３１とを備える。
【００２６】
用紙の両面に画像を形成する場合は、画像形成部２１で用紙の一方の面に画像を形成した後、この用紙を排出トレイ２９側の搬送ローラ対３０にニップされた状態とする。この状態で搬送ローラ対３０を反転させて用紙をスイッチバックさせ、用紙を用紙搬送路３２に送って画像形成部２１の上流域に再度搬送し、画像形成部２１により他方の面に画像を形成した後、用紙をスタックトレイ３又は排出トレイ２９に排出する。
【００２７】
図３は、複合機１の電気的な構成を示すブロック図である。図２に示すように、複合機１は、原稿読取部４、画像処理部３３、画像形成部２１、データメモリ３４、制御部３５、操作部６、ファクシミリ通信部３６、ネットワークＩ／Ｆ部３７、パラレルＩ／Ｆ部３８、シリアルＩ／Ｆ部３９及びＨＤＤ（ハードディスクドライブ）４０を備えて構成されている。
【００２８】
前記原稿読取部４、画像処理部３３、データメモリ３４、制御部３５、操作部６及びネットワークＩ／Ｆ部３７によって、取り込んだ画像データを予め指定されたＩＰアドレスへ送信するネットワークスキャナ機能が実現される。また、前記原稿読取部４、画像処理部３３、画像形成部２１、データメモリ３４、制御部３５、操作部６及びファクシミリ通信部３６によって、ファクシミリ機能が実現される。さらに、前記画像処理部３３、画像形成部２１、制御部３５、操作部６、ネットワークＩ／Ｆ部３７及びパラレルＩ／Ｆ部３８によって、プリンタ機能が実現される。また、前記原稿読取部４、画像処理部３３、画像形成部２１、制御部３５及び操作部６によって、コピー機能が実現される。
【００２９】
操作部６は、図１に示す操作部６に相当するものであり、ユーザがコピー機能、プリンタ機能、ファクシミリ機能及びスキャナ機能等に関する操作を行うために使用され、ユーザによる操作命令（コマンド）等を制御部３５に与えるものである。操作部６は、タッチパネル等を有する表示部９と、前述のスタートキー７やテンキー８等を含む操作キー部４１とを含む。操作キー部４１は、ユーザによるコピー実行開始指令、あるいはファクシミリ送信開始指令といった種々の指示入力を行うために用いられる。
【００３０】
原稿読取部４は、図１に示す原稿読取部４に相当するものであり、原稿の画像を光電変換処理により取得して画像データを生成するものである。
【００３１】
画像処理部３３は、画像データに対する各種画像処理、例えば、原稿読取部４による読取動作によって得られた画像データに対して、レベル補正、γ補正等の所定の補正処理、画像データの圧縮または伸張処理、拡大または縮小処理等の種々の画像処理（加工処理）を行う。画像処理部３３は、図略の画像メモリを含み、処理された画像データ等をこの画像メモリに記憶したり、画像形成部２１、ファクシミリ通信部３６又はネットワークＩ／Ｆ部３７等へ出力したりする。
【００３２】
画像形成部２１は、前述の画像形成部２１に相当するものであり、原稿読取部４によって読み取られた原稿の画像データ、ネットワークＩ／Ｆ部３７を介して外部のパーソナルコンピュータ等から受信した画像データ及びファクシミリ通信部３６によって外部のファクシミリ装置から受信したファックスデータ等の画像データに対する画像を所定の用紙に印刷するものである。
【００３３】
データメモリ３４は、ファクシミリ通信を行う時の短縮釦登録の相手先名称やファクシミリ番号を予め記憶している記憶手段であり、また、ネットワークスキャナとして使用される際の送信相手先のＩＰアドレスなども予め記憶している。
【００３４】
制御部３５は、図略のＣＰＵ（Central Processing Unit：中央演算処理部）に、そのＣＰＵの動作を規定するプログラムを格納するＲＡＭ（Random Access Memory）やＲＯＭ（Read Only Memory）、並びに一時的にデータを保管するＲＡＭ等の記憶部などの周辺装置を有している。これによって、制御部３５は、操作部６等で受け付けられた指示情報や、複合機１の各所に設けられているセンサからの検出信号に応じて、該複合機１全体の制御を行う。より具体的には、制御部３５は、スキャナ機能を実現するために用いられる各部の動作を制御するスキャナコントローラ、ファクシミリ機能を実現するために用いられる各部の動作を制御するファクシミリコントローラ、プリンタ機能を実現するために用いられる各部の動作を制御するプリンタコントローラ、及びコピー機能を実現するために用いられる各部の動作を制御するコピーコントローラとして機能する。
【００３５】
制御部３５としてのコンピュータが読み取ることによって上述の各機能を実現するためのプログラムは、ＨＤＤ４０等の不揮発性且つ大容量の外部記憶装置に格納しておき、前記ＲＡＭ等の主記憶装置に適宜転送することで、ＣＰＵによる実行に供することも可能である。前記プログラムは、ＲＯＭ或いはＣＤ−ＲＯＭ等の記録媒体を通じて供給することも、ネットワークＩ／Ｆ部３７に接続されるネットワーク等の伝送媒体を通じて供給することも可能である。伝送媒体は、有線の伝送媒体に限らず無線の伝送媒体であってもよい。また、伝送媒体には、通信線路のみでなく、通信線路を中継する中継装置、例えばルータ等の通信リンクをも含む。
【００３６】
プログラムがＲＯＭを通じて供給される場合には、当該プログラムが記録されたＲＯＭを制御部３５に搭載することによって、ＣＰＵによる実行に供することができる。プログラムがＣＤ−ＲＯＭを通じて供給される場合には、ＣＤ−ＲＯＭ読み取り装置を、例えばパラレルＩ／Ｆ部３８へ接続し、当該プログラムをＲＡＭ或いはＨＤＤ４０へ転送することによって、ＣＰＵによる実行に供することができる。また、プログラムが伝送媒体を通じて供給される場合には、ネットワークＩ／Ｆ部３７を通じて受信したプログラムをＲＡＭ或いはＨＤＤ４０へ転送することによって、ＣＰＵによる実行に供することができる。
【００３７】
ファクシミリ通信部３６は、符号化／復号化部（図示せず）、変復調部（図示せず）及びＮＣＵ（Network Control Unit：図示せず）を含み、原稿読取部４によって読み取られた原稿の画像データを電話回線やインターネット回線を介して他のファクシミリ装置へ送信したり、他のファクシミリ装置から送信されてきた画像データを受信したりするものである。前記符号化／復号化部は、送信する画像データを圧縮・復号化し、受信した画像データを伸張・復号化するものであり、変復調部は、圧縮・復号化された画像データを音声信号に変調したり、受信した信号（音声信号）を画像データに復調したりするものである。また、ＮＣＵは、送信先となるファクシミリ装置との電話回線による接続を制御するものである。
【００３８】
ネットワークＩ／Ｆ部３７は、ネットワークインターフェース（例えば１０／１００base-TX）等を用い、ネットワークを介して接続されたユーザ側端末との間での種々のデータの送受信を制御するものである。また、ネットワークにパーソナルコンピュータ等の図示しない１または複数の端末装置が接続されている場合に、ネットワークＩ／Ｆ部３７はこれらの端末装置との間での種々のデータの送受信を制御する。例えば、ネットワークＩ／Ｆ部３７は、原稿読取部４によって読み取られた原稿の画像データを端末装置へ送信したり、画像形成部２１で印刷するために端末装置から送られた画像データを受信したりする。
【００３９】
パラレルＩ／Ｆ部３８は、高速双方向パラレルインターフェイス（例えばＩＥＥＥ１２８４準拠）等を用いて、複数の信号線を用いて複数ビット単位でデータを送信するパラレル伝送によって、外部機器等から印刷データ等を受信するものである。シリアルＩ／Ｆ部３９は、シリアルインターフェイス（例えばＲＳ−２３２Ｃ）等を用い、単一の信号線を用いて１ビットずつ順次データを送るシリアル伝送によって、外部機器等から種々のデータ等を受信等するものである。
【００４０】
ＨＤＤ４０は、原稿読取部４によって読み取られた画像データやネットワークを介して送信されてきた画像データ、あるいは当該画像データに設定されている出力形式等を記憶するものである。ＨＤＤ４０に記憶されている画像データは、該複合機１で使用されるだけでなく、ネットワークＩ／Ｆ部３７を介して端末装置によって確認されたり、端末装置の所定のフォルダへ転送されることによって、該端末装置での使用に供されたりする。
【００４１】
複合機１では、上述の各機能を組み合わせて種々の機能が実現される。例えば、スキャナ機能として、ＰＣ送信機能、Ｅ−ｍａｉｌ送信機能、ＦＡＸ送信機能等が実現されてもよい。ここで、ＰＣ送信機能とは、原稿から読み取った画像データを、ネットワークを介して任意の端末装置等へ直接送信する機能であり、複合機１が該機能を発揮するときのモードが前記ネットワークスキャナモードである。Ｅ−ｍａｉｌ送信機能とは、原稿から読み取った画像データを電子メールの添付ファイルとして、ネットワークを介し例えば図略のＳＭＴＰサーバへ直接送信し、さらにこのＳＭＴＰサーバからネットワークを介して任意の外部端末装置等へ当該電子メールを送信することによって、原稿から読み取った画像データを電子メールの添付ファイルとして送信する機能である。ＦＡＸ送信機能とは、原稿から読み取った画像データを、電話回線等を介して任意のファクシミリ装置等へ直接送信する機能である。
【００４２】
以上の構成に加えて、本実施形態の制御部３５は、入力判定部４２と、判断部４３と、第１ドキュメントファイル作成部４４と、第２ドキュメントファイル作成部４５と、合成ファイル作成部４６とを機能的に備える。
【００４３】
入力判定部４２は、複合機１が前記ネットワークスキャナモードに設定されている場合に、入力ボタン９ａが操作されたか否か、すなわち原稿読取部４の読取動作により得られた画像データを第１ドキュメントファイル形式でファイル化して送信先に送信する指示が入力されたか否かを判定するものである。原稿読取部４による読取動作は、入力判定部４２による判定処理後に行われる。
【００４４】
判断部４３は、入力判定部４２により前記指示が入力されたものと判定された場合にさらに入力ボタン９ｂが操作されたか否か、すなわち原稿読取部４の読取動作により得られた画像データを第２ドキュメントファイル形式でファイル化したものもユーザが要求しているか否かを判断するものである。
【００４５】
第１ドキュメントファイル作成部４４は、前記入力ボタン９ａが操作された場合に、原稿読取部４の読取動作により得られた画像データを第１ドキュメントファイル形式でファイル化してなる第１ドキュメントファイルを作成するものである。本件においては、前記第１ドキュメントファイル形式として、例えばＸＰＳ（XML Paper Specification）など、主に、近年商品化又は利用に供されることとなった新規のファイル形式を想定しているが、そのようなファイル形式に限定されるものではない。
【００４６】
第１ドキュメントファイル形式が例えば前記ＸＰＳの場合、第１ドキュメントファイル作成部４４は、原稿読取部４の読取動作により得られた画像データを、背景領域の画像データと文字領域の画像データとに分け、それぞれの画像データについて異なる画像処理を施す。例えば或る頁の画像を表す画像データが図４（ａ）の矢印Ａで示す背景領域の画像データと図４（ｂ）の矢印Ｂで示す文字領域の画像データから構成されている場合、第１ドキュメントファイル作成部４４は、背景領域の画像データに対してＪＰＥＧ方式の画像処理を施し、例えば「ＡＢＣ．ｊｐｇ」のファイル名を有するファイルＦ１を作成し、また、文字領域の画像データに対してベクトルデータ化処理を施し、例えば「ＡＢＣ．ｔｘｔ」のファイル名を有するファイルＦ２を作成して、これらのファイルＦ１，Ｆ２を、新たに作成した例えば「ＡＢＣ．ｘｐｓ」のファイル名を有する第１ドキュメントファイルＦ３に格納する。
【００４７】
第２ドキュメントファイル作成部４５は、前記入力ボタン９ｂが操作された場合に、原稿読取部４の読取動作により得られた画像データを第２ドキュメントファイル形式でファイル化した第２ドキュメントファイルを作成するものである。本件においては、前記第２ドキュメントファイル形式として、例えばＪＰＥＧ（Joint Photographic Experts Group）や、ＴＩＦＦ（Tagged Image File Format）或いはＰＤＦ（Portable Document Format）など、主に、従来から広く知られているファイル形式を想定しているが、そのようなファイル形式に限定されるものではない。
【００４８】
第２ドキュメントファイル形式が例えば前記ＪＰＥＧの場合、原稿読取部４の読取動作により得られた画像データにつき、１頁分の画像データ全体に対して所定の画像処理を施す。例えば図４（ｂ）に示すように、或る頁の画像を表す画像データが図４（ａ）と同様に背景領域の画像データと文字領域の画像データからなる場合、第２ドキュメントファイル作成部４５は、この頁の画像データ全体に対して所定の画像処理を施し、例えば「ＡＢＣ．ｊｐｇ」のファイル名を有するファイルＦ４を作成する。
【００４９】
合成ファイル作成部４６は、第２ドキュメントファイル作成部４５により作成された第２ドキュメントファイルＦ４を、前記第１ドキュメントファイル作成部４４により作成された第１ドキュメントファイルＦ３内に格納して１つのファイルに合成した合成ファイルを作成するものである。以下、この合成ファイルを合成ファイルＦ３と表すものとする。
【００５０】
ところで、このような処理を行うと、合成ファイルＦ３内に同一のファイル名を有するファイルが複数存在する。前述の例で説明すると、合成ファイルＦ３には、同一のファイル名「ＡＢＣ．ｊｐｇ」を有するファイルＦ１，Ｆ４が存在する。したがって、このままでは、合成ファイルＦ３を受け取って画像を表示する表示装置１００が第１ドキュメントファイル形式にも第２ドキュメントファイル形式にも対応している場合、表示装置１００は、画像データをファイルＦ１，Ｆ４のうちどちらのファイルから読み出してよいのかが不明な状態となる。また、表示装置１００が第１ドキュメントファイル形式に未対応のものであって第２ドキュメントファイル形式には対応しているものである場合には、第２ドキュメントファイル形式で作成されたファイルＦ４から画像データを読み出すように指示を与える方が好ましい。
【００５１】
そこで、合成ファイル作成部４６は、合成ファイルＦ３を受け取った表示装置１００に対して、前記ファイルＦ１，Ｆ４のうちどちらのファイルから画像データを読み出させるかを指示するべく、前記合成ファイルＦ３を作成するときに、前記指示内容を示す指示情報（コマンド）を格納したタグファイル（前記第３のファイルに相当）も作成し、該タグファイルを前記合成ファイルＦ３内に格納する。
【００５２】
前記タグファイル内に格納される指示情報は、第１ドキュメントファイル形式にも第２ドキュメントファイル形式にも対応している表示装置１００に対して、該表示装置１００は、前記ファイルＦ１，Ｆ４のうちファイルＦ１内の画像データを読み出す指示を与える情報と、第１ドキュメントファイル形式には未対応で第２ドキュメントファイル形式には対応している表示装置１００に対して、前記ファイルＦ１，Ｆ４のうちファイルＦ４内の画像データを読み出す指示を与える情報とを含む。
【００５３】
各ファイルを階層化して表すと図５に示すような階層となり、前記タグファイルは、図５に示すように、合成ファイルＦ３内において、前記ファイルＦ１，Ｆ２，Ｆ４と同一の階層で格納される。また、前記第１ドキュメントファイル形式が前記ＸＰＳである場合、前記タグファイルは、「rels」というファイル名を有するファイルに相当する。
【００５４】
表示装置１００は、例えば図６に示すように、キーボード及びマウス等からなる入力部１０１と、各種画面を表示する液晶ディスプレイ等の表示部１０２と、前記複合機１との間で通信を行う通信部１０３と、制御部１０４とを備えて構成されている。制御部１０４は、それぞれ制御プログラム等を記憶するＲＯＭ、一時的にデータを格納するＲＡＭ、及び制御プログラム等をＲＯＭから読み出して実行する中央演算処理装置等からなり、前記通信部１０３を介して受信した合成ファイル内の画像データを画像として表示部１０２に表示させる表示制御部１０５として機能する。
【００５５】
表示制御部１０５が前記第１ドキュメントファイル形式に対応している場合（前記第１ドキュメントファイル内の画像データの表示機能を備えている場合）には、表示制御部１０５は、前記タグファイル内に格納されている指示情報に基づき、前記第１ドキュメントファイル形式で作成されたファイルＦ１，Ｆ２内の画像データを読み出し、該画像データを用いて表示部１０２に画像を表示する。例えば図４（ａ）を参照して説明すると、表示制御部１０５は、受け取った合成ファイルＦ３内の第１ドキュメントファイル形式で作成されたファイルＦ１，Ｆ２にアクセスし、ファイルＦ１内の画像データ（矢印Ａで示す画像データ）及びファイルＦ２内の画像データとを読み出してこれらの画像データを画像として表示部１０２に表示する。
【００５６】
一方、表示制御部１０５が前記第１ドキュメントファイル形式に対応していない場合（前記第１ドキュメントファイル内の画像データの表示機能を備えていない場合）には、表示制御部１０５は、前記タグファイル内に格納されている指示情報に基づき、前記合成ファイルＦ３内の第２ドキュメントファイル形式で作成されたファイルＦ４に格納されている画像データを読み出し、該画像データを画像として表示部１０２に表示する。例えば図４（ｂ）を参照して説明すると、表示制御部１０５は、受け取った合成ファイルＦ３内の第２ドキュメントファイルＦ４にアクセスし、該第２ドキュメントファイルＦ４内に格納されている画像データを読み出し、該画像データを画像として表示部１０２に表示する。
【００５７】
複合機１がネットワークスキャナモードに設定されている場合の制御部３５による一連の処理を説明する。図７は、該処理を示すフローチャートである。
【００５８】
図７に示すように、制御部３５は、前記ネットワークスキャナモードにおいて入力ボタン９ａが操作されたか否か、すなわち第１ドキュメントファイル形式で画像データをファイル化して送信先に送信する指示が入力されたか否かを判定し（ステップ♯１）、前記指示が入力された場合には（ステップ♯１でＹＥＳ）、原稿読取部４に読取動作を行わせる（ステップ♯２）。
【００５９】
次に、制御部３５は、前記入力ボタン９ｂが操作されたか否かを判断し（ステップ♯３）、操作されていないものと判断した場合には（ステップ♯３でＮＯ）、ステップ♯２で得られた画像データを第１ドキュメントファイル形式でファイル化した第１ドキュメントファイルを作成する（ステップ♯４）。一方、制御部３５は、前記入力ボタン９ｂが操作されているものと判断した場合には（ステップ♯３でＹＥＳ）、ステップ♯２で得られた画像データを第１ドキュメントファイル形式でファイル化した第１ドキュメントファイルを作成した後（ステップ♯５）、画像データを第２ドキュメントファイル形式でファイル化した第２ドキュメントファイルを作成し（ステップ♯６）、この第２ドキュメントファイルをステップ♯５で作成した第１ドキュメントファイル内に格納するとともに前記タグファイルを作成して合成ファイルを作成する（ステップ♯７）。
【００６０】
ステップ♯４又は♯７の処理後、制御部３５は、ステップ♯４で作成した第１ドキュメントファイル又はステップ♯７で作成した合成ファイルを表示装置１００に送信する処理を行う（ステップ♯８）。
【００６１】
表示装置１００がステップ♯７で作成された合成ファイルを受信した場合の一連の処理を説明する。図８は、該処理示すフローチャートである。
【００６２】
図８に示すように、制御部１０４は、前記合成ファイルを受信すると（ステップ♯１１でＹＥＳ）、以下のステップ♯１２〜♯１６の処理を行う。制御部１０４は、第１ドキュメントファイル形式に対応できる場合には（ステップ♯１２でＹＥＳ）、前記指示情報にしたがって、受信した合成ファイルＦ３内の第１ドキュメントファイル形式で作成されたファイルＦ１，Ｆ２にアクセスし、該ファイルＦ１，Ｆ２に格納されている画像データを画像として表示部１０２に表示する（ステップ♯１３）。一方、制御部３５は、第１ドキュメントファイル形式に未対応である場合には（ステップ♯１２でＮＯ）、前記指示情報にしたがって、ステップ♯１１で受信した合成ファイルＦ３内の第２ドキュメントファイル形式で作成されたファイルＦ４にアクセスし、該ファイルＦ４に格納されている画像データを画像として表示部１０２に表示する（ステップ♯１５）。
【００６３】
以上のように、本実施形態では、ユーザによる指示を受けて、原稿読取部４の読取動作により得られた画像データを、第１ドキュメントファイル形式によりファイル化した第１ドキュメントファイルと、前記画像データを第２ドキュメントファイル形式によりファイル化した第２ドキュメントファイルとをそれぞれ作成し、前記第２ドキュメントファイルを前記第１ドキュメントファイル内に格納して１つの合成ファイルに合成した上で表示装置１００に送信するようにしたので、表示装置１００が前記第１ドキュメントファイル形式に未対応のものであっても前記第２ドキュメントファイルを用いることで、複合機１で読み取った画像を表示部１０２に表示することができる。
【００６４】
また、合成ファイル内の第１ドキュメントファイル形式で作成されたファイルと第２ドキュメントファイル形式で作成されたファイルとのどちらのファイルから画像データを読み出すかを指示する指示情報を格納したタグファイルを合成ファイルの作成時に生成して該合成ファイル内に格納するようにしたので、表示装置１００は前記指示情報にしたがって、画像データを読み出す対象のファイルを決定することができる。したがって、合成ファイルＦ３内に同一のファイル名を有するファイルが複数存在する場合であっても、画像データを読み出して該画像データを画像として表示部１０２に表示する処理が自動的に行われる構成を実現することができる。
【００６５】
本件は、前記実施形態に限らず、又は前記実施形態に代えて次の変形形態も採用可能である。
【００６６】
［１］表示装置１００が合成ファイルを受信した場合に、該表示装置１００が第２ドキュメントファイルに未対応であるときには、自動的に、第２ドキュメントファイルにアクセスし、該第２ドキュメントファイル内の画像データを画像として表示部１０２に表示するようにしたが、これに限らず、受信した合成ファイル内のファイル構成を表示部１０２に表示するなどして、受信したファイル内に、対応（表示）できる第２ドキュメントファイルも存在することをユーザに報知して、該第２ドキュメントファイルにアクセスする指示が入力されたときに、第２ドキュメントファイル内の画像データを画像として表示部１０２に表示するようにしてもよい。
【００６７】
［２］前記第１の実施形態では、入力ボタン９ａ，９ｂの操作が行われた場合に、第１ドキュメントファイルと第２ドキュメントファイルとを作成して前記合成ファイルＦ３を作成するようにしたが、この形態に限らず、原稿の画像の読取動作の指示が行われると、自動的に、第１ドキュメントファイルと第２ドキュメントファイルとを作成して合成ファイルを作成するような構成も採用可能である。
【００６８】
［３］前記第１の実施形態では、複合機１で作成した合成ファイルを通信ネットワークを介して表示装置１００に送信するものを説明したが、本件はこれに限られるものではなく、複合機１で作成した合成ファイルをＣＤ（Compact Disc）やＤＶＤ（Digital Versatile Disk）等の記録媒体に格納し、表示装置１００に該記録媒体を装填して該記録媒体から合成ファイルを読み出して画像データを画像として表示部１０２に表示する形態も含む。
【００６９】
［４］本件は、複合機に限らず、スキャナ若しくはスキャナ機能を搭載する装置に採用可能である。
【図面の簡単な説明】
【００７０】
【図１】本発明に係る画像処理装置の一例である複合機の内部構成を概略的に示す側面図である。
【図２】操作部の構成を示す外観図である。
【図３】複合機の電気的な構成を示すブロック図である。
【図４】本発明におけるファイル作成処理の説明図である。
【図５】複合機で生成される各ファイルを階層化した図である。
【図６】表示装置の電気的な構成を示すブロック図である。
【図７】複合機がネットワークスキャナモードに設定されている場合の制御部による処理を示すフローチャートである。
【図８】表示装置が図７のステップ♯７で作成された合成ファイルを受信した場合の処理を示すフローチャートである。
【符号の説明】
【００７１】
１  複合機
９ａ，９ｂ  入力ボタン
４２  入力判定部
４３  判断部
４４  第１ドキュメントファイル作成部
４５  第２ドキュメントファイル作成部
４６  合成ファイル作成部
１００  表示装置
１０２  表示部
１０５  表示制御部
【図１】
2008312018.tif 000003
【図２】
2008312018.tif 000004
【図３】
2008312018.tif 000005
【図４】
2008312018.tif 000006
【図５】
2008312018.tif 000007
【図６】
2008312018.tif 000008
【図７】
2008312018.tif 000009
【図８】
2008312018.tif 000010